(57)【特許請求の範囲】
【請求項１】
それぞれマイクロコンピュータを搭載した純正のヘッドユニットと、ナビゲーションシステムと、ディスプレーと、テレビチューナーとをＬＡＮケーブルで接続して構成した純正の車載用オーディオシステムにおいて、前記純正ヘッドユニットを非純正のヘッドユニットと交換した際装着するものであって、
前記純正ヘッドユニットを装着しているときにモニターして得られた特定アドレスのＬＡＮ信号を発生するＬＡＮ信号発生手段を備え、前記ヘッドユニットの代わりに前記ＬＡＮ信号を送信し、前記他の純正機器の動作を阻害することなく機能させることを特徴とする車載用オーディオインターフェースアダプター。
【請求項２】
前記テレビチューナーの音声１チャンネルと前記ナビゲーションシステムの案内音声を合成して出力するためのミキシング回路とアンプとスピーカーを内蔵していることを特徴とする請求項１に記載の車載用オーディオインターフェースアダプター。
【請求項３】
前記テレビチューナーの音声出力（バランス出力）を一般のアンプに接続できるようアンバランス出力に変換するとともに、対雑音性能を上げるため音声回路の途中にトランスを配置したことを特徴とする請求項２に記載の車載用オーディオインターフェースアダプター。
【請求項４】
前記内臓スピーカーから出力される前記テレビチューナーの音声出力をヘッドユニット使用時に消音するためのミュート回路を備えたことを特徴とする請求項２に記載の車載用オーディオインターフェースアダプター。
【請求項５】
前記ミュート回路の制御に、交換した非純正ヘッドユニットの外部機器制御用リモート端子を使用することを特徴とする請求項４に記載の車載オーディオインターフェースアダプター。
【発明の詳細な説明】
【０００１】
【発明の属する技術分野】
本発明は、車載用の純正ナビゲーション（以下単にＮＡＶＩという）付きオーディオシステムに於いて、純正のヘッドユニットを市販の非純正ヘッドユニットに交換した際装着する車載用オーディオインターフェースアダプター（以下単にアダプターという）に関するものである。
【０００２】
【従来の技術及びその問題点】
ある車種のＮＡＶＩシステム付きオーディオシステムは、図１に示すように純正ヘッドユニット１と、ＮＡＶＩシステム２と、ディスプレー３と、テレビ（以下単にＴＶという）チューナー４がコネクター７を介してＬＡＮケーブルで接続されそれぞれＬＡＮ通信を行っている。またスピーカー５−１〜５−４はコネクター６を介して純正のヘッドユニットに直接接続されている。このような構成に於いて、この純正ヘッドユニットを交換して、該純正ヘッドユニットが備える通信機能を有しない市販の非純正ヘッドユニットを装着すると、音声は正常に出力されるもののＬＡＮ形態の接続が分断されてしまうため、ＮＡＶＩシステム２，ディスプレー３、ＴＶチューナー４が正常に動作できなくなり、前記ディスプレー３の画面がブラックアウトしたままの状態になる等の不都合が発生する。
【０００３】
このため純正ヘッドユニットを非純正ヘッドユニットに交換する際に装着するアダプターには、前記純正ヘッドユニット１の通信を代替する機能が必要になる。また、ＮＡＶＩシステム２と、ＴＶチューナー４の音声出力はＡＵＸレベルでヘッドユニット１に直結され、操作モードにより適宜切り替えまたはインポーズされてスピーカー５から出力される様構成されているが、通常非純正ヘッドユニットにはこのような入力がないため、ヘッドユニットを交換するとこれらの音声が出力されなくなってしまう。
【０００４】
また、ＴＶチューナー４の音声出力を外部にアンプとスピーカーにより音声を出力しようとした場合、通常これらのアンプの入力仕様はアンバランスであるが、ＴＶチューナー４の出力はバランスになっているため、直結することができない。さらに、ＴＶチューナー４の音声出力は、通常テレビジョンを視聴しないときも出力されたままとなっているため、前記純正ヘッドユニット以外の機器で出力する場合には、必要に応じ（テレビジョンを視聴しないとき）再生機器側で消音しなければならない等の問題点がある。
【０００５】
【発明が解決しようとする課題】
本発明は記問題に鑑みてなされたもので、純正のヘッドユニットを市販の非純正ヘッドユニットに交換する際装着するアダプターを提供することを目的とする。
【０００６】
【課題を解決するための手段】
上記目的を達成するために請求項１に記載されたアダプターは、それぞれマイクロコンピュータを搭載した純正のヘッドユニットと、ナビゲーションシステムと、ディスプレーと、テレビチューナーとをＬＡＮケーブルで接続して構成した純正の車載用オーディオシステムにおいて、前記純正ヘッドユニットを非純正のヘッドユニットと交換した際装着されるものであって、前記純正ヘッドユニットを装着しているときにモニターして得られた特定アドレスのＬＡＮ信号を発生するＬＡＮ信号発生手段を備え、前記ヘッドユニットの代わりに前記ＬＡＮ信号を送信し、前記他の純正機器の動作を阻害することなく機能させることを特徴とする。
【０００７】
請求項２に記載されたアダプターは、請求項１に記載の構成において、前記ＴＶチューナーの音声１チャンネルと前記ＮＡＶＩシステムの案内音声を合成して出力するためのミキシング回路とアンプとスピーカーを内蔵していることを特徴とする。
【０００８】
請求項３に記載されたアダプターは、請求項２に記載の構成において、前記ＴＶチューナーの音声出力（バランス出力）を一般のアンプに接続できるようアンバランス出力に変換するとともに、対雑音性能を上げるため音声回路の途中にトランスを配置したことを特徴とする。
【０００９】
請求項４に記載されたアダプターは、請求項２に記載の構成において、前記内臓スピーカーから出力される前記ＴＶチューナーの音声出力をヘッドユニット使用時に消音するためのミュート回路を備えたことを特徴とする。
【００１０】
請求項５に記載のアダプターは、請求項４に記載の構成において、前記ミュート回路の制御に、交換した非純正ヘッドユニットの外部機器制御用リモート端子を使用することを特徴とする。
【００１１】
【発明の作用及び効果】
請求項１に記載のアダプターは、車載用の純正ＮＡＶＩシステム付きオーディオシステムに於いて、純正のヘッドユニットを市販の非純正ヘッドユニットに交換する際装着するもので、純正ヘッドユニットを装着しているときにモニターして得られた特定アドレスのＬＡＮ信号を発生するＬＡＮ信号発生手段により、該ＬＡＮ信号を送信し、他の純正機器の動作を阻害することなく機能させる。従って、純正ヘッドユニットの取り外し及び交換を可能にする。
【００１２】
請求項２に記載のアダプターは、ＮＡＶＩシステムの案内音声とＴＶチューナーの音声を純正ヘッドユニットが無くても出力できるよう、ミキシング回路と、アンプと、スピーカーを内蔵しているから、純正ヘッドユニットを取り外しても、ＮＡＶＩシステムの音声出力とＴＶチューナーの音声を出力することができる。
【００１３】
請求項３に記載のアダプターは、ＴＶチューナーの音声出力（バランス出力）を一般のアンプに接続できるようアンバランス出力に変換するとともに、対雑音性能を上げるため音声回路の途中にトランスを配置したから、ＴＶチューナーの音声出力をアンバランスに変換して、一般のアンプに接続することができる。
【００１４】
請求項４のアダプターは、内臓スピーカーから出力されるＴＶチューナーの音声出力をヘッドユニット使用時に消音するためのミュート回路を備えたから、Ｔテレビジョンを視聴しないとき、アダプターに内蔵のスピーカーからテレビジョンの音声を消音することができる。
【００１５】
請求項５に記載のアダプターは、ミュート回路の制御に交換した非純正ヘッドユニットの外部機器制御用リモート端子を使用するから、交換した非純正ヘッドユニットの電源を投入したとき、その信号を用いて、アダプターに内蔵されたスピーカーから出力されるＴＶチューナーの音声を消音するよう構成することができる。
【００１６】
【発明の実施の形態】
本発明の１実施形態について図２を参照して説明する。図２の２点鎖線内部が、アダプターＡの概略の構成を示した回路図であり、２点鎖線の外部はアダプターＡの構成に含まれない機器である。図２に於いて、８は市販の非純正ヘッドユニット、９はそのスピーカー出力であるギボシ端子、１０は前記ギボシ端子を受けて、前記コネクター６に直接接続可能なコネクターである。１１はＬＡＮケーブル接続用のコネクター７と直接接続可能なコネクターであり、純正ＴＶチューナー（以下単にＴＶチューナという）４の音声とＬＡＮ信号がこのコネクター１１を経由する。
【００１７】
また、１２は純正ＮＡＶＩシステム（以下単にＮＡＶＩシステムという）２の案内音声を受けるトランス、１３は抵抗器、１４はＴＶチューナー４のＬチャンネル音声を受けるトランス、１５はＴＶチューナー４のＲチャンネル音声を受けるトランス、１６，１７は抵抗器である。１８はアダプターＡに内蔵の音声用パワーアンプ、１９はアダプターＡに内蔵のスピーカーである。
【００１８】
さらに、２０は外部制御信号を受けるリモート端子で、通常は前記非純正ヘッドユニット８の外部機器制御用リモート信号を接続する。２１は抵抗器、２２はＴＶチューナー４の音声をミュートするためのＦＥＴトランジスタ、２３はＴＶチューナー４のＬチャンネル音声を外部アンプへ接続するためのピン端子、２４はＴＶチューナー４のＲチャンネル音声を外部アンプへ接続するためのピン端子である。そして、２５はＬＡＮ信号を発生するマイクロコンピュータ（以下マイコンという）回路、２６はＬＡＮ信号を車載のＬＡＮ仕様に適合させるためのインターフェースである。
【００１９】
上記構成のアダプターＡのマイコン回路２５は、通常、マイクロコンピュータ（以下単にマイコンという）又はマイコンを主体とした回路ブロックで構成され、ＬＡＮ信号の送受信データをプログラム又はデータの形で記憶保持し、必要に応じて純正ヘッドユニット１のＬＡＮ信号を発生する機能を備えたものである。
【００２０】
このため、図３に示すように純正ヘッドユニット１が装着されている状態の純正ＮＡＶＩシステム付き車載オーディオシステムのＬＡＮケーブルに、ＬＡＮ信号モニター装置３０を接続し、キーオン時及び各種操作時に該ＬＡＮケーブルに流れるデータをモニターして収集する。そして、純正ヘッドユニット１の特定のアドレス（この場合１００ｈ番地）を送信元又は受信先に持つデータだけを抽出する。この抽出された送受信データが、純正ヘッドユニット１に関係するＬＡＮ信号である。
【００２１】
また、上記抽出された送受信データには、特定の組み合わせになるものが存在する。例えば、ある受信データには特定のデータパターンを送信する等の組み合わせがある。このようなデータ解析を行なって、純正ヘッドユニット１を非純正ヘッドユニット８と交換した場合に、該純正ヘッドユニット１の代わりに非純正ヘッドユニット８のアダプターＡが受信する可能性があるデータと、送信すべきデータを決定して、上記のようにマイコン回路２５にプログラム又はデータの形で記憶保持し、必要に応じて純正のヘッドユニットのＬＡＮ信号を発生させる。
【００２２】
上記構成のアダプターＡを装着した純正ＮＡＶＩシステム付き車載オーディオシステムにおいては、市販非純正ヘッドユニット８の音声出力は、ギボシ端子９，コネクター１０，６を介し前記スピーカー５に直結されるため、何の問題もなくその音声は、前記スピーカー５から出力される。一方、前記コネクター１０を介して入力されるＮＡＶＩシステム２の案内音声と、コネクター１１を介して入力されるＴＶチューナー４のＬチャンネル音声は、それぞれトランス１２と、トランス１４に入力され、それぞれのトランスの２次側出力が、抵抗器１３と、抵抗器１６，１７により適度に音量比率を調整してミキシングされた後、前記パワーアンプ１８に入力され、スピーカー１９から出力される。上記トランス１２と、トランス１４及び抵抗器１３と抵抗器１６，１７によりミキシング回路ＭＸが構成される。
【００２３】
このとき、前記非純正ヘッドユニット８の内蔵ソース（ＦＭチューナー及びＣＤ等）を聞く場合は、非純正ヘッドユニット８の電源が投入され、そのリモート信号は１２Ｖとなり、リモート端子２０に入力された該リモート信号は抵抗器２１を介しＦＥＴトランジスタ２２を導通状態とし、ＴＶチューナー４のＬチャンネル音声をミュートする。上記抵抗２１、ＦＥＴトランジスタ２２によりミュート回路Ｍが構成される。
【００２４】
尚、ＴＶチューナー４のＬ，Ｒの両チャンネルの音声はそれぞれトランス１４，１５を介してその２次側出力をアンバランスに変換した後、それぞれピン端子２３，２４に出力される。この端子に外部のアンプやスピーカーを接続することにより、ＴＶチューナー４の音声はより大きな音で聞くことができる。もちろん前記非純正ヘッドユニット８がＡＵＸ入力を持っている場合は、そこへ接続することができる。
【００２５】
ＬＡＮ信号は、上記マイコン回路２５で生成し、インターフェース２６により車載のＬＡＮ仕様に適合した信号形態に変換した後、コネクター１１，７を介して車載ＬＡＮケーブルに接続される。
【００２６】
上記で説明したように本発明のアダプターＡは、車載用の純正ＮＡＶＩシステム付きオーディオシステムに於いて、純正ヘッドユニット１を装着しているときにＬＡＮ信号モニター装置３０で収集して得られた特定アドレスのＬＡＮ信号を発生するマイコン回路２５により、純正ヘッドユニット１の代わりに特定アドレスのＬＡＮ信号を送信し、ＮＡＶＩシステム２等の他の純正機器の動作を阻害することなく機能させるから、純正ヘッドユニット１の取り外し及び交換が可能になる。
【００２７】
また、ＮＡＶＩシステム２の案内音声とＴＶチューナー４の音声を純正ヘッドユニット１が無くても出力できるよう、ミキシング回路、アンプ１８及びスピーカー１９を内蔵しているから、純正ヘッドユニット１を取り外しても、ＮＡＶＩシステム２の音声出力とＴＶチューナー４の音声を出力することができる。
【００２８】
さらに、ＴＶチューナー４の音声出力（バランス出力）を一般のアンプに接続できるようアンバランス出力に変換するとともに、対雑音性能を上げるため音声回路の途中にトランス１４，１５を配置したから、ＴＶチューナー４の音声を出力することができる
【００２９】
そして、スピーカー１９から出力されるＴＶチューナー４の音声出力を、非純正ヘッドユニット８の使用時に消音するためのミュート回路を備えたから、ＴＶを視聴しないとき、アダプターＡに内蔵のスピーカー１９からＴＶの音声を消音することができるとともに、ミュート回路の制御に交換した市販非純正ヘッドユニット８の外部機器制御用のリモート端子２０を使用するから、交換した市販非純正ヘッドユニット８の電源を投入したとき、その信号を用いて、アダプターＡに内蔵されたスピーカー１９から出力されるＴＶチューナー４の音声を消音するよう構成することができる。
【図面の簡単な説明】
【図１】純正の車載用オーディオシステムの概略のブロック図である。
【図２】非純正ヘッドユニットに接続したアダプターの概略のブロック図である。
【図３】純正ＮＡＶＩシステム付きオーディオシステムのＬＡＮ信号をモニターする態様を示した概略のブロック図である。
【符号の説明】
Ａ．．．アダプター
１．．．純正ヘッドユニット
２．．．ＮＡＶＩシステム
４．．．ＴＶチューナー
５−１〜５−４．．．スピーカー
８．．．非純正ヘッドユニット
１２，１４，１５．．．トランス
１３，１６，１７，２１．．．抵抗器
１８．．．パワーアンプ
１９．．．内蔵のスピーカー
２０．．．リモート端子
２２．．．ＦＥＴトランジスタ
２３，２４．．．ピン端子
２５．．．マイコン回路
２６．．．インターフェース
３０．．．ＬＡＮ信号モニター装置
ＭＸ．．．ミキシング回路
Ｍ．．．ミュート回路
【図１】
0003607674.tif 000002
【図２】
0003607674.tif 000003
【図３】
0003607674.tif 000004